(57)【要約】【課題】大腿骨または脛骨のような長い骨の骨折部を回復させるのに適する骨髄挿入杆を提供する。【解決手段】基端部と先端部の間で延びる軸幹14,114,214314,414,514,614を備えた、骨折部に挿入するのに適する骨髄挿入杆10,110,210,310,410,510,610に、形状記憶効果をもつ材料から形成された複数の形状記憶爪20,120,220,320,420,520,620と、軸幹に設けられ、形状記憶爪20,120,220,320,420,520,620を収容するための複数の受部19,119,219,319,419,519,619とを設ける。形状記憶爪20,120,220,320,420,520,620は、受部に収容されうる第１の形状と、受部から突出しうる第２の形状をとることができる。【選択図】図１
2007530194.tif 000002
【特許請求の範囲】
【請求項１】
基端部と先端部の間で延びる軸幹(14)(114)(214)(314)(414)(514)(614)を備えた、骨折部に挿入するのに適した骨髄挿入杆(10)(110)(210)(310)(410)(510)(610)において、形状記憶効果をもつ材料から形成された複数の形状記憶爪(20)(120)(220)(320)(420)(520)(620)と、前記軸幹に設けられた、前記形状記憶爪(20)(120)(220)(320)(420)(520)(620)を収容するための複数の受部(19)(119)(219)(319)(419)(519)(619)とを備え、前記形状記憶爪(20)(120)(220)(320)(420)(520)(620)は、前記受部に収容されうる第１の形状と、前記受部から突出しうる第２の形状をとりうることを特徴とする骨髄挿入杆(10)(110)(210)(310)(410)(510)(610)。
【請求項２】
前記受部は、前記基端部および先端部の一方から他方へ向かって延びるスロットまたは長孔からなることを特徴とする請求項１記載の骨髄挿入杆(10)。
【請求項３】
形状記憶爪(20)を含み、対応する受部(19)に挿入しうる、前記軸幹(14)とは別体のインサート(23)を備えることを特徴とする請求項１または２記載の骨髄挿入杆(10)。
【請求項４】
前記軸幹(14)は、軸方向に延びる２つの半円筒形部材を組み合わせたものからなることを特徴とする請求項１〜３のいずれかに記載の骨髄挿入杆(10)。
【請求項５】
前記インサート(23)は、対応する受部(19)に押し込んで装着するようになっていることを特徴とする請求項３記載の骨髄挿入杆(10)。
【請求項６】
前記インサート(23)は、中央の接続部(22)を介して互いに接続された２つの形状記憶爪(20)を具備することを特徴とする請求項３記載の骨髄挿入杆(10)。
【請求項７】
前記インサート(23)は、概ねフォーク形状をなしていることを特徴とする請求項６記載の骨髄挿入杆(10)。
【請求項８】
前記インサート(23)は、前記形状記憶爪(20)が互いに軸幹(14)の反対側に位置するように、対応する受部(29)に収容されるようになっていることを特徴とする請求項２または７記載の骨髄挿入杆(10)。
【請求項９】
前記インサート(23)は、前記形状記憶爪(20)が互いに軸幹(14)の反対側に位置するように、対応する受部(29)に収容されるようになっていることを特徴とする請求項３記載の骨髄挿入杆(10)。
【請求項１０】
前記複数のインサート(23)は、軸幹(14)の側面に、基端部(16)から先端部(18)に至るまで分散して配置されていることを特徴とする請求項３記載の骨髄挿入杆(10)。
【請求項１１】
前記複数のインサート(23)は、周方向に互いに９０°ずつずらして配置されていることを特徴とする請求項３記載の骨髄挿入杆(10)。
【請求項１２】
前記各インサート(23)における２つの形状記憶爪(20)は、湾曲した形状を記憶している２つのタブからなることを特徴とする請求項６記載の骨髄挿入杆(10)。
【請求項１３】
前記各インサート(23)は、形状記憶材料から形成された複数の薄層を積層したラミネート体であることを特徴とする請求項３記載の骨髄挿入杆(10)。
【請求項１４】
前記インサート(23)における２つの形状記憶爪(20)は、円筒形のスリーブ(26)を介して互いに接続されていることを特徴とする請求項６記載の骨髄挿入杆(10)。
【請求項１５】
前記スリーブ(26)の２つの形状記憶爪(20)から周方向に概ね９０°離れた２つの位置に、このスリーブ(26)と９０°ずらして配置された他のスリーブの形状記憶爪の少なくとも一部を収容しうるように、それぞれ溝(28)が設けられていることを特徴とする請求項１４記載の骨髄挿入杆(10)。
【請求項１６】
前記複数のタブは、鋸歯のように軸幹(14)の外側に突出しうることを特徴とする請求項１２記載の骨髄挿入杆(10)。
【請求項１７】
形状記憶爪(20)の第1の形状を保持する役割を果たす、軸幹(14)を覆うカバー(40)をさらに備えていることを特徴とする請求項１記載の骨髄挿入杆(10)。
【請求項１８】
前記カバー(40)は、管状の壁体(41)と、この壁体(41)に形成された複数の長孔(42)とを備えることを特徴とする請求項１７記載の骨髄挿入杆(10)。
【請求項１９】
前記カバー(40)と軸幹(14)は、カバー(40)の壁体(41)が形状記憶爪(20)を第１の形状に保持する第１の操作位置と、カバー(40)の長孔(42)が軸幹(14)の受部と整合し、形状記憶爪(20)を受部(19)から突出させうる第２の操作位置との間で、相対的に移動しうるようになっていることを特徴とする請求項１８記載の骨髄挿入杆(10)。
【請求項２０】
前記カバー(40)と軸幹(14)の相対的な移動は、骨髄挿入杆(10)の軸方向に沿って行われることを特徴とする請求項１９記載の骨髄挿入杆(10)。
【請求項２１】
軸幹(14)のヘッド(14a)に連結され、軸幹(14)の軸の回りに回転することによって、軸幹(14)をカバー(40)に対して相対的に移動させうる制御棒(45)をさらに備えていることを特徴とする請求項１９記載の骨髄挿入杆(10)。
【請求項２２】
前記カバー(40)のヘッド部に連結され、前記制御棒(45)を貫通させうるチューブ(50)をさらに備えていることを特徴とする請求項２１記載の骨髄挿入杆(10)。
【請求項２３】
前記各形状記憶爪(120)は、軸幹(14)の側面において周方向に延びる、受部(119)の役割を果たす溝(122)に収容されていることを特徴とする請求項１記載の骨髄挿入杆(110)。
【請求項２４】
前記各形状記憶爪(120)(220)は、軸幹(14)の側面において軸方向に延びる、受部(219)の役割を果たす溝(122)(222)に収容されていることを特徴とする請求項１記載の骨髄挿入杆(210)。
【請求項２５】
前記各形状記憶爪(120)(220)は、軸幹(114)(214)の一方の端部に取り付けられており、かつ形状記憶爪が第２の形状をとったときに、軸幹よりも外側に突出しうる自由端(121)(221)を有することを特徴とする請求項２３または２４記載の骨髄挿入杆(110)(210)。
【請求項２６】
前記溝(122)(222)は、Ｕ字形の断面を有することを特徴とする請求項２３または２４記載の骨髄挿入杆(110)(210)。
【請求項２７】
前記受部(419)は、軸幹(414)の両端に設けられた小径部(426)(427)によって区画されており、この小径部(426)(427)には、形状記憶効果をもつ円筒形のスリーブ(422)(423)が装着しうるようになっていることを特徴とする請求項１記載の骨髄挿入杆(410)。
【請求項２８】
前記スリーブ(422)(423)には、複数のスロット(424)(425)が設けられており、このスロット(424)(425)は、複数の間隔部(424a)(425a)を区画しており、この間隔部(424a)(425a)は、骨髄挿入杆を骨に固定する際に、前記小径部(426)(427)から突出して、樽のような立体形状をとるようになっていることを特徴とする請求項２７記載の骨髄挿入杆(410)。
【請求項２９】
前記複数のスロット(424)(425)は、互いに等間隔で設けられていることを特徴とする請求項２８記載の骨髄挿入杆(410)。
【請求項３０】
前記小径部(426)の自由端側には、スリーブ(422)の保持リング(428)を螺合するためのねじ山が形成されていることを特徴とする請求項２８記載の骨髄挿入杆(410)。
【請求項３１】
前記小径部(427)の自由端側には、スリーブ(423)の保持プラグ(429)を螺合するためのねじ山が形成されていることを特徴とする請求項２８記載の骨髄挿入杆(410)。
【請求項３２】
前記軸幹(514)は円筒形のチューブであり、前記形状記憶爪(520)は、この軸幹(514)の基端部(516)と先端部(518)に取り付けられる２つの枝分かれ部材(524)からなり、これらの枝分かれ部材(524)は、受部(519)となる軸幹(514)の小径部に嵌め込まれるようになっていることを特徴とする請求項１記載の骨髄挿入杆(510)(610)。
【請求項３３】
前記枝分かれ部材(524)は、複数の枝(524a)からなる円筒形のスリーブ形状をなし、各枝(524a)は、スリーブの厚さ方向に切り込まれ、かつ受部(519)から突出しうるようになっていることを特徴とする請求項３２記載の骨髄挿入杆(510)。
【請求項３４】
受部の役割を果たす小径部(626)は、スリーブ(622)の貫通孔の形状に対応して、角柱状をなしていることを特徴とする請求項３３記載の骨髄挿入杆(610)。
【請求項３５】
前記小径部(626)とスリーブ(622)の貫通孔の形状は、正八角柱であることを特徴とする請求項３４記載の骨髄挿入杆(610)。
【請求項３６】
請求項１記載の骨髄挿入杆(10)(110)(210)(310)(410)(510)(610)の複数の形状記憶爪(20)(120)(220)(320)(420)(520)(620)に、軸幹に設けられた受部に収容するための第１の形状をとらせる過程と、骨髄挿入杆を骨折部(12)に配置する過程と、前記形状記憶爪(20)(120)(220)(320)(420)(520)(620)を、受部から突出する第２の形状をとるように活性化する過程とを含むことを特徴とする請求項１記載の骨髄挿入杆(10)(110)(210)(310)(410)(510)(610)を骨折部(22)に装填する方法。
【発明の詳細な説明】
【技術分野】
【０００１】
本発明は、骨折部の回復のために用いられる形状記憶爪を備える骨髄挿入杆と、この骨髄挿入杆の骨髄への挿入方法に係り、より詳しくは、大腿骨または脛骨のような長い骨の骨髄に挿入するのに適した、軸幹と形状記憶爪を有する骨髄挿入杆に関する。
【背景技術】
【０００２】
外科手術の際に、折れた骨の骨髄に、爪を有する骨髄挿入杆を挿入して、骨折部を固定し、仮骨の再生機構が正常に働くように、元の骨の形状を再構成しつつ、骨の強度を回復させる技術は、すでに知られている。このような骨髄挿入杆における軸幹は、概ね円柱状であり、中実のものと中空のものがある。
【０００３】
骨髄挿入杆を骨折部に固定するため、骨髄挿入杆には、複数の長孔が互い違いに設けられている。先端部における長孔は、軸幹を貫通し、かつ軸方向または周方向に延びる軸を有する。一方、基端部における各長孔は、同じ大きさであり、必ずしも軸方向または周方向に延びる軸を有してはいない。これらの長孔は、骨にドリルで孔を開けた後、骨髄挿入杆を骨折部に固定するために、この孔に挿入されるねじを固着するようになっている。
【０００４】
上記のような骨髄挿入杆は、一定の効果を有するが、骨にドリルで孔を開ける際に、不都合が生じることが知られている。骨髄挿入杆が骨に良好に固定されるか否かは、骨に開けた孔と、骨髄挿入杆の長孔とが整合するかどうかにかかっている。
【０００５】
しかし、骨髄挿入杆を骨に挿入した後は、骨髄挿入杆の長孔は外部から捉えられないため、この長孔を、骨に開けた孔と正確に一致させるのは困難である。さらに、もう１つ位置合わせの問題がある。すなわち、骨髄挿入杆は、骨の中に挿入されると、わずかに湾曲するため、特に先端部に位置する長孔は、挿入前と同じ位置にはないということである。
【０００６】
骨に挿入された骨髄挿入杆の長孔の位置を正確に把握するための公知の技法は、Ｘ線によるものである。しかし、手術中に行うのは面倒であるとともに、手術に関与する医療スタッフに被爆のおそれがある。
【０００７】
このため、機械的に工夫をこらした骨髄挿入杆がいくつか提案されている（例えば特許文献１参照）。このような骨髄挿入杆を用いるならば、長孔の位置確認のためにＸ線を使う必要はないが、依然として、注意深く、かつ正確に進めなければならない操作がいくつか必要である。
【特許文献１】欧州特許第７７２420号明細書
【発明の開示】
【発明が解決しようとする課題】
【０００８】
本発明は、上記の要求に応え、容易かつ効果的な方法で、公知の骨髄挿入杆の欠点を解消しうる、長い骨に挿入するのに適した骨髄挿入杆を提供することを目的としている。
【課題を解決するための手段】
【０００９】
本発明は、複数の形状記憶爪と、この形状記憶爪を収容するために軸幹に設けられる複数の受部とを有する、長い骨に挿入するのに適した骨髄挿入杆を提供することによって、上記の課題を解決する。
【００１０】
本発明に係る形状記憶爪は、受部に収容されうる第１の形状と、受部から突出しうる第２の形状をとることができる。
【発明の効果】
【００１１】
本発明の主たる効果は、骨髄挿入杆の骨への固定が著しく簡単になることである。形状記憶爪の拡開は、手で行うのではなく、熱の吸収によって自然に生じる。爪による固定であるため、骨への侵襲は最小限に止めることができる。
【００１２】
本発明に係る骨髄挿入杆のもう１つの効果は、部品の種類が少ないため、簡単に製造しうることである。
【００１３】
本発明に係る骨髄挿入杆のさらに他の効果は、形状記憶効果をもつ複数のインサートを、軸幹に容易に挿入しうることである。２つの円筒部からなる軸幹は、インサート23を挿入する上できわめて有利である。
【００１４】
形状記憶効果をもつインサートのもう１つの効果は、軸幹から独立した部品となっていることである。したがって、軸幹は、形状記憶効果をもたない材料から形成することができ、製造コストを削減することができる。
【００１５】
さらに、インサートは、軸幹に設けられたスロットに押し込んで装着するようになっているため、軸幹とインサートとの複雑な係合手段は必要ない。
【００１６】
本発明に係る骨髄挿入杆のさらに他の効果は、カバーを用いるために、形状記憶爪の第１の形状と第２の形状の間の切替えが容易に行われることである。カバーがあるために、形状記憶爪は、骨髄への挿入の際、受部に引き込んだ位置にとどまり、骨髄挿入杆が最終的な位置に配置される前に、体温によって形状記憶爪の形状が変わる危険を回避することができる。
【００１７】
カバーを軸幹に装着することのもう１つの効果は、骨髄挿入杆の押し込みツールを取り付けられることである。
【００１８】
カバーを軸幹に装着することのさらに他の効果は、骨髄挿入杆が骨から引抜きやすくなることである。すなわち、骨髄挿入杆を引抜く際に、骨髄挿入杆の温度を低下させるツールを用い、骨髄挿入杆の形状を変化させることによって、引抜く際の抵抗を小さくすることができる。
【００１９】
当業者であれば、特定の用途上の必要に応じ、これまでに説明した骨髄挿入杆、およびこの骨髄挿入杆の使用方法に、特許請求の範囲に記載した本発明の技術的範囲に含まれる設計変更を加えることも可能であると思う。
【発明を実施するための最良の形態】
【００２０】
本発明の上記以外の特徴と効果は、以下に添付の図面を参照して行う、数個の実施形態（本発明を限定するためのものではない）の詳細な説明から明らかになると思う。
【００２１】
図１〜図１５ｄは、本発明の第１の実施形態に係る骨髄挿入杆10を示す。骨髄挿入杆10は、大腿骨や脛骨のような長い骨12が折れたときに、骨髄に挿入するものであり、基端部16と先端部18の間で延びる軸幹14を備えている。
【００２２】
軸幹14は、円筒形の管状体であり、形状記憶材料からなる複数の形状記憶爪20と、この形状記憶爪20を収容するための複数の受部19とを備えている。
【００２３】
複数の形状記憶爪20は、すべて同一形状である。すなわち、各形状記憶爪20は、骨髄に挿入するときには、対応する受部19に収容された第１の形状をとり、他方、骨髄内で固定するときには、第２の形状をとる。
【００２４】
形状記憶材料は、所与の形状を有し、所定の外部条件または活性化条件の下で、いわゆる「変形」過程の後に、新しい形状をとる。本発明においては、形状記憶爪20の所与の形状は、形状記憶爪20が軸幹14から突出する第２の形状に相当する。
【００２５】
一方、形状記憶爪20の新しい形状は、骨髄挿入杆の温度を低下させることによって得られる。形状記憶爪20の新しい形状は、受部19に収容されることとなる第１の形状に相当する。骨髄挿入杆10は、形状記憶爪20が第１の形状をとっている状態で、骨髄に挿入される。
【００２６】
活性化条件は、温度が上昇すると失われ、形状記憶爪20は、所与の形状に復帰する。すでに述べたように、形状記憶爪20の所与の形状とは、骨髄挿入杆10が骨髄内で固定されるように、軸幹14から突出する第２の形状のことである。
【００２７】
形状記憶爪20は、一旦第２の形状（所与の形状）に復帰すると、所定の物理条件の下で第１の形状（新しい形状）をとるまで、この第２の形状をとり続けるという特性を有している。形状記憶爪20は、この特性を有するため、骨折部が原状に回復するように、骨折部を内部から一定の圧力で押し続ける。
【００２８】
形状記憶爪20が第１の形状から第２の形状に復帰するための温度、いわゆるAｆ温度（変態が終了する温度；３７℃よりも低い。例えば２５℃）は、体温によって得られる。形状記憶爪20のAｆ温度が４８℃くらいの場合には、適当な加熱手段が用いられる。
【００２９】
形状記憶爪20のもう１つの特性は、第１の形状と第２の形状の間で、変形が可逆的に生じるということである。すなわち、形状記憶爪20は、骨髄内から抜き取ることができるように、第２の形状から、再び第１の形状へ移行することができる。
【００３０】
上記のように、骨髄挿入杆10は、長い骨12が折れたときに骨髄に挿入するものであるため、軸幹14の長さは、７〜１２mmが好ましい。
【００３１】
軸幹14の基端部16には、押し込みツールが係合しうるように、切欠き部16aが設けられている。切欠き部の側壁16bは、押し込みツールと骨髄挿入杆10の係合状態を保持するようになっている。
【００３２】
骨髄挿入杆10と押し込みツールの接続については、後に、図１４ａ〜図１４ｄと図１５ａ〜図１５ｄを参照して詳述する。
【００３３】
骨髄挿入杆10を骨髄内へ挿入する際、骨髄挿入杆10が骨髄内で容易にスライドしうるよう、軸幹14の先端部は、丸められている。
【００３４】
図１〜図１５ｄに示す軸幹14は、概ね直線的であるが、挿入対象である骨の形状により、基端部16と先端部18が一定の角度をなすように、湾曲させることもできる。
【００３５】
すでに述べたように、軸幹14は、円筒形管状体である。壁体には、軸と直交する方向に、骨髄挿入杆10が骨髄内でねじれるのを防ぐピンを挿入するための孔14dが設けられている。また、軸幹14には、軸方向に延びる複数の受部19が設けられている。受部19は、形状記憶爪20を収容するためのものである。
【００３６】
より詳しく述べると、複数の受部19は、軸幹14の壁体の対向する側にあるもの同士が対をなすように形成されている。説明の便宜のため、以下においては、上記の対をなす２つの受部19をまとめて、対応する形状記憶爪20を収容する１つの受部19と考えることにする（図７参照）。
【００３７】
形状記憶爪20は、受部19に挿入されるのに適した、軸幹14とは別体のインサート23を形成している。軸幹14は、インサート23の挿入が容易となるよう、軸方向において接合される半円筒形の２つの部品からなっている。
【００３８】
インサート23は、受部19に押し込まれる。各インサート23は、２つの形状記憶爪20の対からなっている。２つの形状記憶爪20は、中央の接続部22を介して、互いに接続されている。このように、インサート23は、左右対称の逆Ｖ字形または逆Ｕ字形のフォーク形状をなしているため、骨髄内に挿入される際に、左右のバランスを保つことができる。
【００３９】
インサート23のフォーク形状は、対応する受部19に収容するのに適しており、対をなす２つの形状記憶爪20は、軸幹14の両側に配置される。
【００４０】
複数のインサート23は、軸幹14の側面における基端部16と先端部18の近傍に配置されている。したがって、軸幹14の中央部は、インサートのない滑らかな表面を有している。
【００４１】
図３に示すように、先端部18には、２つのインサート23が、また基端部16には、３つのインサート23が設けられている。
【００４２】
各インサート23の向きは、互い違いに９０°ずらしてある。これは、軸方向において直交する２つの面について安定性を確保するためである。
【００４３】
図５、図６、および図１３に示すように、各インサート23において対をなす２つの形状記憶爪20は、長手のタブ（つまみ）からなっている。骨髄挿入杆10が骨髄内に挿入されるよう、形状記憶爪20が第１の形状をとっているときには、２つのタブは、受部19に収容されるように、接続部22の幅に合わせて閉じている。
【００４４】
骨髄挿入杆10が骨髄内に完全に挿入されて、形状記憶爪20が第２の形状をとると、２つのタブは、接続部22の幅よりも拡がり、タブの自由端21は、受部19から突出する。すなわち、タブは、湾曲した形状を記憶している。
【００４５】
軸幹14から露出するタブの外表面32は、骨髄の内表面にしっかりと係合しうるように、鋸の歯のような形状を有している。タブの長さは、その配置位置が、先端部18の近傍であるか、または基端部16の近傍であるか、および挿入される骨に応じて、種々に調整される。
【００４６】
例えば大腿骨に骨髄挿入杆10を挿入する場合には、大腿骨の解剖学的特性に応じて、先端部18および基端部16の近傍に配置されるタブは、軸幹14の中央寄りに配置されるタブよりも長い。
【００４７】
インサート23の接続部22には、孔25が設けられている。孔25は、ガイドワイヤ（例えばキルシュナーワイヤ）を挿入しうるよう、軸幹14を軸方向に貫く孔と整合している。
【００４８】
この実施形態の変形例においては、図１３に示すように、インサート23は、複数枚の金属箔を重ね合わせて互いに接合された層状とされる。インサート23には、金属箔をずらさずに重ね合わせることができるよう、金属箔を貫く止めピン33の対が挿入される。この止めピン33は、インサート23を受部19に収納した後、軸幹14を貫く孔と整合させる際にも用いるのが好ましい。
【００４９】
図６に示すもう１つの変形例においては、骨髄挿入杆10は、２つの形状記憶爪20からなる対を形成するために、接続用部材として、円筒形のスリーブ26を備えている。スリーブ26には、２つの溝28が、タブから９０°ずれた位置において、互いに反対側に設けられており、軸幹14の軸方向に沿って延びる、他のインサート23のタブを少なくとも部分的に収容しうるようになっている。
【００５０】
この変形例においては、タブには、自由端に向かってテーパが付けられている。すなわち、形状記憶爪20が突出したときに軸幹14の側を向くタブの表面には、傾斜面30が設けられており、自由端21に向かうにつれて、タブの断面積は徐々に小さくなっている。
【００５１】
骨髄挿入杆10のもう１つの特徴として、図１２、図１４、および図１５ａ〜図１５ｄに示すように、骨髄挿入杆10には、軸幹14を覆うカバー40が装着される。図面の作成を容易にするため、カバー40は、これらの図に係る実施形態に限って示してあるが、以下に説明する本発明の他の実施形態に係る骨髄挿入杆にも用いることができる。
【００５２】
カバー40は、管状であり、図１４に示すように、形状記憶爪20を、受部19に収容される際の第１の形状に押さえ付けておく役割を果たす。換言すれば、カバー40は、骨髄挿入杆10が骨や髄様骨に挿入される前の段階において、形状記憶爪20を受部19にしっかりと保持する役目を果たす。
【００５３】
カバー40の壁体41には、軸方向に延びる複数個の長孔42が設けられている。カバー40と軸幹14は、壁体41が、受部19に収容されている形状記憶爪20を押さえ付けている第１の位置と、長孔42と受部19の位置が揃い、形状記憶爪20が第２の形状をとって、受部19の外に拡開しうる第２の位置との間で、相対的に移動しうる。カバー40と軸幹14の相対的な移動は、骨髄挿入杆10の軸方向に沿って行われる。
【００５４】
上記のカバー40と軸幹14の相対的な移動は、適当なツールを使って行われる。このツールは、軸幹14をカバー40に対して動かしうるようになっている。このため、骨髄挿入杆10には、二重のねじ山が設けられている（図１４ａと図１４ｂ参照）。
【００５５】
第１のねじ山は、軸幹14の基端部16における切欠き部16aに設けられている。第１のねじ山をもつ切欠き部16aには、これに対応するねじ山をもつ制御棒45（図１４ｃ参照）が螺合される。
【００５６】
第２のねじ山66aは、カバー40の基端部に連結される円筒体66（図１４ａと図１４ｂ参照）に設けられている。円筒体66は、保持スリーブ54の対応する突起が係合する１対の凹部68を有している。凹部68は、軸幹14を動かすときに、カバー40をしっかりと保持する。
【００５７】
ねじ山66aをもつ円筒体66には、対応するねじ山50bが設けられたチューブ50が、保持スリーブ54に挿入されつつ、螺合される。チューブ50は、上述の制御棒45を貫通しうるようになっている。
【００５８】
図１４ｂは、保持スリーブ54に収容されつつ、第２のねじ山66aを介して、円筒体66に螺合されているチューブ50を示す。
【００５９】
図１４ｃは、チューブ50に挿入されつつ、第１のねじ山16aを介して、骨髄挿入杆10に螺合されている制御棒45を示す。
【００６０】
軸幹14をカバー40に対して移動しうるようにするため、制御棒45を、チューブ50に対して回転させ、骨髄挿入杆10に螺合させる。制御棒45を時計回りに回転させれば、軸幹14を後退させることができ（図１５ａ参照）、他方、制御棒45を反時計回りに回転させれば、軸幹14を進めることができる（図１５ｂ参照）。
【００６１】
図１５ａ〜図１５ｄは、骨髄挿入杆10を骨12に挿入し、また引き抜く際の過程を示す。図１５ａに示す開始位置においては、形状記憶爪20は、第２の形状をとっている。制御棒45を時計回りに螺合すると、軸幹14は、カバー40に対して後退する。
【００６２】
カバー40は、保持スリーブ54とチューブ50によって、しっかりと保持されている。軸幹14を軸方向に移動させると、カバー40の壁体41は、受部19を一部被覆する（図１４参照）。したがって、壁体41は、タブを押圧し、形状記憶爪20が、第１の形状をとって、受部14に収容されるのを助ける。この操作は、骨髄挿入杆10の温度を低下させて、形状記憶爪20に第１の形状をとらせるときに行われる（図１５ｂ参照）。骨髄挿入杆10は、この状態で、骨に挿入される（図１５ｃ参照）。
【００６３】
骨髄挿入杆10が骨に挿入されると、タブは、カバー40による拘束を解かれ、第２の形状（受部19から突出した形状）をとることとなる（図１５ｄ参照）。このためには、制御棒45をチューブ50に対して反時計回りに回転させる。すると、軸幹１４は、カバー40の壁体41における長孔42と受部19とが完全に整合するまで、カバー40に対して軸方向に進む。この位置においては、壁体41は、タブを押さえ付けることができず、タブの自由端21は拡開する。
【００６４】
保持スリーブ54、チューブ50、および制御棒45は、骨髄挿入杆10が骨12に挿入された後に、取外される。
【００６５】
以上の手順を逆に行えば、骨髄挿入杆10を骨から抜き取ることができる。まず、骨髄挿入杆10が骨髄内にあるときに、軸幹14に冷却ツールを挿入して、インサート23を冷却し、形状記憶爪20を受部19に引き込む。
【００６６】
つぎに、保持スリーブ54、チューブ50、および制御棒45を骨髄挿入杆10に装着し、形状記憶爪20をカバー40によって押さえ付けるために、制御棒45を時計回りに回転した後、軸幹14を後退させる。このようにして、骨髄挿入杆10は、侵襲の程度を最小限に止めつつ、骨から取り出される。
【００６７】
つぎに、図１６〜図３４を参照して、本発明の上記以外の実施形態に係る骨髄挿入杆を説明する。
【００６８】
図１６〜図１９は、本発明の第２の実施形態に係る骨髄挿入杆を示す。複数の形状記憶爪120は、軸幹114の側面において周方向に延びる断面逆Ｕ字形の溝122の中に収容されている。溝122は、受部119の役割を果たす。
【００６９】
形状記憶爪120は、円筒形王冠の一部に当る湾曲した断面を有しており、その厚さは、概ね、溝122の深さに等しい。形状記憶爪20の固定端124（軸幹114の軸方向に延びている）は、レーザ溶接やキーによって、溝122に固定されている。
【００７０】
上記の説明は、形状記憶爪120の第１の形状に対応するものである。骨髄挿入杆110を骨12に固定する形状（第２の形状）をとる際には、形状記憶爪120の自由端121（固定端124の反対側に位置する）は、溝122から突出する。また、第１の形状における湾曲した断面は、まっすぐに伸び、概ね長方形となる。
【００７１】
溝122に収容される各形状記憶爪120は、互いにずらして配置するのが好ましい。この実施形態においては、周方向において同じ位置にある隣合う２つの形状記憶爪120の間に、これらとは周方向の位置が異なるもう１つの形状記憶爪120が位置している。
【００７２】
形状記憶爪20の固定端124は、軸幹114を径方向から視た場合に、左右交互に位置することとなる。
【００７３】
軸幹114は、押し込みツールに螺合される。
【００７４】
溝122は、軸幹114の全周にわたって設けても、形状記憶爪120の周方向の長さ分だけ設けてもよい。
【００７５】
図２０〜図２３は、長い骨の骨折部に挿入するのに適した、本発明の第３の実施形態に係る骨髄挿入杆210を示す。
【００７６】
骨髄挿入杆210は、基端部216と先端部218の間で直線的に延びる軸幹214を備えている。軸幹214は、円筒形の管状体である。軸幹214には、すでに説明した形状記憶材料からなる複数の形状記憶爪220が設けられている。
【００７７】
複数の形状記憶爪220は、軸幹214の側面に、概ね均等に分散して配置されている。図２０に示す形状記憶爪220は、対応する溝222に収容されている。溝222は、軸幹214の側面において軸方向に延びる受部219を区画している。また、溝222は、概ね、断面逆Ｕ字形をなしている。
【００７８】
形状記憶爪220は円筒形で、その厚さは、概ね溝222の深さに等しい。形状記憶爪220の前端224は、レーザ溶接等により、溝222に固定されている。
【００７９】
上記の説明は、形状記憶爪220の第１の形状についてのものである。形状記憶爪220が、骨髄挿入杆210を骨12に固定するための第２の形状をとった場合には、形状記憶爪220の自由端２２１（前端224の反対側に位置する）は、溝222から突出する。すなわち、第１の形状において円筒形をなしていた形状記憶爪220は、軸幹214よりも外側に湾曲する。
【００８０】
複数の形状記憶爪220は、すべて同じ長さを有しているが、それぞれの前端224は、互いにずれている。すなわち、周方向において同じ位置にあり、かつ隣合う２つの形状記憶爪220の各前端224の間に、これらとは周方向の位置が異なるもう１つの形状記憶爪120の前端224が位置している。
【００８１】
形状記憶爪220の固定端である前端224は、すべて、軸幹214の同じ側の端部（基端部214または先端部218）を向いているため、骨髄挿入杆210を引抜くのは容易である。
【００８２】
軸幹214は、押し込みツールに螺合される。
【００８３】
図２４は、長い骨の骨折部に挿入するのに適した、本発明の第４の実施形態に係る骨髄挿入杆310を示す。
【００８４】
骨髄挿入杆310は、基端部と先端部の間で直線的に延びる軸幹314を備えている。軸幹314は、円筒形の管状体である。軸幹314には、すでに説明した形状記憶材料からなる複数の形状記憶爪320が設けられている。
【００８５】
複数の形状記憶爪320は、軸幹314の側面に、概ね均等に配分されている。また、各形状記憶爪320は、対応する溝322に収容されている。各溝320は、軸幹314の側面において軸方向に延びる受部を区画している。
【００８６】
形状記憶爪320の厚さは、概ね溝322の深さに等しい。形状記憶爪320の底部は、レーザ溶接等により、溝322に固定されている。
【００８７】
図２５〜図３０は、長い骨の骨折部に挿入するのに適した、本発明の第５の実施形態に係る骨髄挿入杆410を示す。形状記憶爪420は、軸幹414の基端部416の近傍と先端部418のそれぞれの近傍に設けられている。
【００８８】
基端部416の近傍における形状記憶爪420は、軸方向に延びる４つの受部424が形成された円筒形スリーブ422に位置している。４つの受部424は、周方向に等間隔で配置されている。スリーブ422における各受部424の間の部分は、細長い間隔部424aをなしている。受部424の両端は、円弧状とされている。
【００８９】
円筒形のチューブからなる軸幹414の基端部416における小径部426は、スリーブ422よりも断面積が小さい。図３０に示すように、小径部426は、形状記憶爪420の受部419を区画している。
【００９０】
小径部426の自由端側には、ねじ山が設けられており（図示せず）、スリーブ422の保持リング428が、このねじ山に螺合され、小径部426におけるスリーブ422の位置を定めるようになっている。
【００９１】
スリーブ422は、軸幹414の中央部414aに向かって延びる舌部430を有している。舌部430は、軸幹414の対応する切欠き部432に収容される。舌部430は、小径部426と反対側のスリーブ422の自由端に位置している。したがって、スリーブ422と軸幹414は、回転によらない方式で連結される。
【００９２】
軸幹414の先端部418における形状記憶爪420には、軸方向に延びる４つの受部425が形成された円筒形スリーブ423が取り付けられている。４つの受部425は、周方向に等間隔で配置されている。各受部425の両端は、円弧状となっている。
【００９３】
円筒形のチューブからなる軸幹414の基端部418の小径部427は、スリーブ422よりも断面積が小さい。図３０に示すように、小径部427は、形状記憶爪420の受部419を区画している。
【００９４】
小径部427の自由端側には、ねじ山が設けられており（図示せず）、スリーブ423の保持プラグ429が、このねじ山に螺合され、小径部427におけるスリーブ423の位置を定めるようになっている。
【００９５】
基端部におけるスリーブ422と同様に、スリーブ423は、軸幹414の中央部414aに向かって延びる舌部431を有している。舌部431は、軸幹414の対応する切欠き部433に収容される。舌部431は、小径部427と反対側のスリーブ423の自由端に位置している。したがって、スリーブ423と軸幹414は、回転によらない方式で連結される。
【００９６】
２つのスリーブ422と423は、互いに同じ形状であり、かつ対称に配置されている。一方、スリーブ422と423をそれぞれ収容する軸幹414の切欠き部432と433は、周方向において互いにずれている。
【００９７】
上記の形状記憶爪420についての説明は、受部419に収容される際の第１の形状に対応するものである。
【００９８】
形状記憶爪420の第２の形状（骨髄挿入杆410を骨412に固定する際の形状）においては、スリーブ422,423は、小径部426427よりも外側に突出し、全体として樽のような形状となっている。この際、スリーブ422423の軸方向の長さは、短縮する。間隔部424a，425aは、１枚１枚の樽板のような形状をなしている。
【００９９】
舌部430，431は、形状記憶爪420の第１の形状から第２の形状へ移行する際に、切欠き部432，433内をスライドするが、第２の形状をとるときでも、切欠き部432，433から外れることはない。
【０１００】
図３１と図３２は、長い骨の骨折部に挿入するのに適した、本発明の第６の実施形態に係る骨髄挿入杆510を示す。骨髄挿入杆510は、基端部と先端部の間で延びる直線状の軸幹514、および骨髄挿入杆510を骨折部に固定するための形状記憶爪520を備えている。
【０１０１】
形状記憶爪520は、枝分かれ部524を有する円筒形スリーブ522からなっている。枝分かれ部524における各枝524aは、スリーブ522の端部に始まり、溝524bを介して、互いに隣合っている。溝524bは、各枝524aの縁部を円弧状に分かっている。
【０１０２】
軸幹514の両端部には、受部519を区画する小径部526が設けられている。受部519には、形状記憶効果をもつスリーブ522が嵌め込まれ、各枝524aの自由端は、軸幹514よりも外側に湾曲しうるようになっている。より正確にいうと、小径部526は、スリーブ522の内面に合わせて、角柱形状（図３２においては八角柱）をなしている。
【０１０３】
小径部526に装着されたスリーブ522は、枝分かれ部524の根元側において、小径部526に固定される。
【０１０４】
上記の説明は、形状記憶爪520が小径部526に密着している第１の形状についてのものである。形状記憶爪520が第２の形状をとるときには、各524aの自由端は、軸幹514よりも外側に湾曲し、小径部526から放射状に突出する。
【０１０５】
図３３と図３４は、長い骨の骨折部に挿入するのに適した、本発明の第７の実施形態に係る骨髄挿入杆610を示す。骨髄挿入杆610は、基端部616と先端部618の間で延びる直線状の軸幹614を備えている。また、骨髄挿入杆610は、基端部616と先端部618の少なくとも一方に、形状記憶爪620を備えている。
【０１０６】
基端部616における形状記憶部620aは、枝分かれ部624を有するスリーブ622を備えている。枝分かれ部624は、スリーブ622の一方の側から、複数の溝624bが形成されることによって、枝分かれしている。
【０１０７】
枝分かれ部624は、スリーブ622の回りに均等に離間された複数（この実施形態においては４つ）の枝624aからなっている。枝分かれ部624における溝624bは、各枝624aの縁部を円弧状に分かっている。各枝624aには、周方向に延びるリング状の複数の溝642が設けられており、これらの溝642は、周方向において、各枝624aの間で途切れている。
【０１０８】
軸幹614は、両端部に、受部619を区画する小径部626を有している。受部619には、形状記憶効果をもつスリーブ622が収まっている。軸幹614の中央部分614aの側に位置する各枝624aの自由端は、湾曲しうるようになっている。各枝624aは、軸幹の外径の変化に合わせて、小径部626に当接している。小径部626は、スリーブ622の内面に合わせて、角柱形状を有している。
【０１０９】
各枝624aは、形状記憶材料から形成されている。小径部626に装着されたスリーブ622は、枝分かれ部624の根元側において、小径部626に固定される。
【０１１０】
上記の説明は、形状記憶爪620が小径部626に収まっている（すなわち、軸幹614よりも外側に突出しない）第１の形状についてのものである。形状記憶爪620が第２の形状をとるときには、各枝624aの自由端は、軸幹624よりも外側に湾曲し、小径部626から放射状に突出する。
【０１１１】
本発明に係る骨髄挿入杆を長い骨に装填する際には、まず、骨髄挿入杆を長い骨の中に挿入し、ついで、骨髄挿入杆を骨折部に固定するため、複数の形状記憶爪が第２の形状をとるように活性化する。
【０１１２】
以下に、図１〜図１５を参照して、骨折した長い骨に挿入するのに適した、本発明に係る骨髄挿入杆の操作について説明する。
【０１１３】
本発明の第１の実施形態に係る骨髄挿入杆10の場合、骨髄挿入杆10は、形状記憶爪20の自由端21が軸幹14の側面から突出しない第１の形状をとっている状態で、長い骨12の中に配置される。
【０１１４】
この後、骨髄挿入杆10を骨12に固定するため、形状記憶爪20を活性化させ、形状記憶爪20の自由端21を軸幹14よりも外側に突出させる。その結果、形状記憶爪20の自由端21は、軸幹14を取り囲む骨の部分と係合する。すなわち、形状記憶爪20の自由端21は、軸幹14を取り囲む骨の部分に固着し、骨髄挿入杆10は骨に１２に固定される。
【０１１５】
骨髄挿入杆10を骨12に固定するときに、軸幹14にねじれが生じないよう、インサート23は、向きを互い違いにして軸幹14に装填されている。
【０１１６】
軸幹14は、円筒形であり、中央の孔は、熱交換を良好にして、形状記憶爪20を活性化するのに役立つ。
【図面の簡単な説明】
【０１１７】
【図１】本発明の第１の実施形態に係る、カバーを備えた骨髄挿入杆の斜視図である。
【図２】図１に示す骨髄挿入杆において、第２の形状をとっている形状記憶爪を示す部分拡大図である。
【図３】図１における骨髄挿入杆（カバーを取外してある）の縦断面を示す斜視図である。
【図４】図１における骨髄挿入杆の軸幹を示す斜視図である。
【図５】図１に示す骨髄挿入杆における形状記憶爪を有するインサートの斜視図である。
【図６】第１の実施形態の変形例に係る骨髄挿入杆における形状記憶爪を有するインサートの斜視図である。
【図７】図４に示す軸幹の部分拡大図である。
【図８】図４に示す軸幹における形状記憶爪を含む部分の拡大図である。
【図９】図４に示す軸幹における形状記憶爪を含む部分の断面を示す斜視図である。
【図１０】図１における骨髄挿入杆の端部を示す側面図である。
【図１１】図１０における端部の縦断面を示す斜視図である。
【図１２】図１における骨髄挿入杆のカバーの側面図である。
【図１３】第１の実施形態の他の変形例に係る骨髄挿入杆における形状記憶爪を有するインサートの斜視図である。
【図１４】図１に示す骨髄挿入杆において、第１の形状をとっている形状記憶爪を示す部分拡大図である。
【図１４ａ】図１に示す骨髄挿入杆の分解斜視図である。
【図１４ｂ】図１に示す骨髄挿入杆の組立工程を示す縦断面図である。
【図１４ｃ】図１に示す骨髄挿入杆の組立工程を示す縦断面図である。
【図１４ｄ】組立工程が完了した、図１に示す骨髄挿入杆の一部の斜視図である。
【図１５ａ】図１に示す骨髄挿入杆を骨髄に挿入する過程を示す側面図である。
【図１５ｂ】図１に示す骨髄挿入杆を骨髄に挿入する過程を示す側面図である。
【図１５ｃ】図１に示す骨髄挿入杆を骨髄に挿入する過程を示す側面図である。
【図１５ｄ】図１に示す骨髄挿入杆を骨髄に挿入する過程を示す側面図である。
【図１６】本発明の第２の実施形態に係る骨髄挿入杆（形状記憶爪は第１の形状をとっている）の斜視図である。
【図１７】本発明の第２の実施形態に係る骨髄挿入杆（形状記憶爪は第２の形状をとっている）の斜視図である。
【図１８】図１６に示す骨髄挿入杆の部分拡大斜視図である。
【図１９】図１７に示す骨髄挿入杆の部分拡大斜視図である。
【図２０】本発明の第３の実施形態に係る骨髄挿入杆（形状記憶爪は第１の形状をとっている）の斜視図である。
【図２１】本発明の第３の実施形態に係る骨髄挿入杆（形状記憶爪は第２の形状をとっている）の斜視図である。
【図２２】図２０に示す骨髄挿入杆の部分拡大斜視図である。
【図２３】図２１に示す骨髄挿入杆の部分拡大斜視図である。
【図２４】本発明の第４の実施形態に係る骨髄挿入杆（形状記憶爪は第１の形状をとっている）の一部の斜視図である。
【図２５】本発明の第５の実施形態に係る骨髄挿入杆（形状記憶爪は第１の形状をとっている）の斜視図である。
【図２６】本発明の第５の実施形態に係る骨髄挿入杆（形状記憶爪は第２の形状をとっている）の上端部の拡大斜視図である。
【図２７】図２６に示す形状記憶爪が第１の形状をとっている状態の拡大斜視図である。
【図２８】本発明の第５の実施形態に係る骨髄挿入杆（形状記憶爪は第１の形状をとっている）の下端部の斜視図である。
【図２９】本発明の第５の実施形態に係る骨髄挿入杆（形状記憶爪は第２の形状をとっている）の下端部の拡大斜視図である。
【図３０】図２５に示す骨髄挿入杆の中間部の斜視図である。
【図３１】本発明の第６の実施形態に係る骨髄挿入杆における形状記憶爪を備えたインサートの斜視図である。
【図３２】本発明の第６の実施形態に係る骨髄挿入杆を組み立てる際における形状記憶爪の斜視図である。
【図３３】本発明の第７の実施形態に係る骨髄挿入杆の斜視図である。
【図３４】図３３に示す骨髄挿入杆の部分拡大斜視図である。
【符号の説明】
【０１１８】
10,110,210,,310,410,510,610  骨髄挿入杆
12  骨
14,114,214,314,414,514,614  軸幹
16,216,416,516  基端部
18,218,418,518  先端部
19,119,219,319,419,519,619  受部
20,120,220,320,420,520,620  形状記憶爪
23  インサート
22  接続部
26  スリーブ
28  溝
40  カバー
41  壁体
42  長孔
45  制御棒
122  溝
124  固定端
426,427  小径部
422,423  スリーブ
424,425  スロット
424a,425a  間隔部
428  保持リング
429  保持プラグ429
524  枝分かれ部
524a  枝
524b  溝
【図１】
2007530194.tif 000003
【図２】
2007530194.tif 000004
【図３】
2007530194.tif 000005
【図４】
2007530194.tif 000006
【図５】
2007530194.tif 000007
【図６】
2007530194.tif 000008
【図７】
2007530194.tif 000009
【図８】
2007530194.tif 000010
【図９】
2007530194.tif 000011
【図１０】
2007530194.tif 000012
【図１１】
2007530194.tif 000013
【図１２】
2007530194.tif 000014
【図１３】
2007530194.tif 000015
【図１４】
2007530194.tif 000016
【図１４Ａ】
2007530194.tif 000017
【図１４Ｂ】
2007530194.tif 000018
【図１４Ｃ】
2007530194.tif 000019
【図１４Ｄ】
2007530194.tif 000020
【図１５ａ】
2007530194.tif 000021
【図１５ｂ】
2007530194.tif 000022
【図１５ｃ】
2007530194.tif 000023
【図１５ｄ】
2007530194.tif 000024
【図１６】
2007530194.tif 000025
【図１７】
2007530194.tif 000026
【図１８】
2007530194.tif 000027
【図１９】
2007530194.tif 000028
【図２０】
2007530194.tif 000029
【図２１】
2007530194.tif 000030
【図２２】
2007530194.tif 000031
【図２３】
2007530194.tif 000032
【図２４】
2007530194.tif 000033
【図２５】
2007530194.tif 000034
【図２６】
2007530194.tif 000035
【図２７】
2007530194.tif 000036
【図２８】
2007530194.tif 000037
【図２９】
2007530194.tif 000038
【図３０】
2007530194.tif 000039
【図３１】
2007530194.tif 000040
【図３２】
2007530194.tif 000041
【図３３】
2007530194.tif 000042
【図３４】
2007530194.tif 000043
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
基端部と先端部の間で延びる軸幹(14)(114)(214)(314)(414)(514)(614)と、形状記憶効果をもつ材料から形成された複数の形状記憶爪(20)(120)(220)(320)(420)(520)(620)と、前記軸幹に設けられた、前記形状記憶爪(20)(120)(220)(320)(420)(520)(620)を収容するための複数の受部(19)(119)(219)(319)(419)(519)(619)とを備え、前記形状記憶爪(20)(120)(220)(320)(420)(520)(620)は、前記受部(19)(119)(219)(319)(419)(519)(619)に収容されうる第１の形状と、前記受部(19)(119)(219)(319)(419)(519)(619)から突出しうる第２の形状をとりうるようになっている、骨折部に挿入するのに適する骨髄挿入杆(10)(110)(210)(310)(410)(510)(610)において、前記軸幹(14)は、軸方向に沿って組み合わされる２つの半円筒形部材からなることを特徴とする骨髄挿入杆(10)(110)(210)(310)(410)(510)(610)。
【請求項２】
前記受部(14)は、前記基端部および先端部の一方から他方へ向かって延びるスロットまたは長孔からなることを特徴とする請求項１記載の骨髄挿入杆(10)。
【請求項３】
形状記憶爪(20)を含み、対応する受部(19)に挿入しうる、前記軸幹(14)とは別体の複数のインサート(23)を備えることを特徴とする請求項１または２記載の骨髄挿入杆(10)。
【請求項４】
前記インサート(23)は、対応する受部(19)に押し込んで装着されるようになっていることを特徴とする請求項３記載の骨髄挿入杆(10)。
【請求項５】
前記インサート(23)は、中央の接続部(22)(26)を介して互いに接続された２つの形状記憶爪(20)を具備することを特徴とする請求項３記載の骨髄挿入杆(10)。
【請求項６】
前記インサート(23)は、概ねフォーク形状をなしていることを特徴とする請求項５記載の骨髄挿入杆(10)。
【請求項７】
前記インサート(23)は、前記形状記憶爪(20)が互いに軸幹(14)の反対側に位置するように、対応する受部(29)に収容されるようになっていることを特徴とする請求項２または６記載の骨髄挿入杆(10)。
【請求項８】
前記複数のインサート(23)は、軸幹(14)の軸方向に連続的に配置されていることを特徴とする請求項３記載の骨髄挿入杆(10)。
【請求項９】
前記複数のインサート(23)は、軸幹(14)の側面に、基端部(16)から先端部(18)に至るまで分散して配置されていることを特徴とする請求項３記載の骨髄挿入杆(10)。
【請求項１０】
前記複数のインサート(23)は、周方向に互いに９０°ずつずらして配置されていることを特徴とする請求項３記載の骨髄挿入杆(10)。
【請求項１１】
前記各インサート(23)における２つの形状記憶爪(20)は、湾曲した形状を記憶している２つのタブからなることを特徴とする請求項５記載の骨髄挿入杆(10)。
【請求項１２】
前記各インサート(23)は、形状記憶材料から形成された複数の薄層を積層したラミネート体であることを特徴とする請求項３記載の骨髄挿入杆(10)。
【請求項１３】
前記インサート(23)における２つの形状記憶爪(20)は、円筒形のスリーブ(26)を介して互いに接続されていることを特徴とする請求項５記載の骨髄挿入杆(10)。
【請求項１４】
前記スリーブ(26)の２つの形状記憶爪(20)から周方向に概ね９０°離れた２つの位置に、このスリーブ(26)と９０°ずらして配置された他のスリーブの形状記憶爪の少なくとも一部を収容しうるように、それぞれ溝(28)が設けられていることを特徴とする請求項１３記載の骨髄挿入杆(10)。
【請求項１５】
前記複数のタブは、鋸歯のように軸幹(14)の外側に突出しうることを特徴とする請求項１１記載の骨髄挿入杆(10)。
【請求項１６】
基端部と先端部の間で延びる軸幹(14)と、形状記憶効果をもつ材料から形成された複数の形状記憶爪(20)と、前記軸幹(14)に設けられた、前記形状記憶爪(20)を収容するための複数の受部(19)とを備え、前記形状記憶爪(20)は、前記受部(19)に収容される際の第１の形状と、前記受部(19)から突出する第２の形状とをとりうるようになっており、この形状記憶爪を有し、かつ前記受部(19)に収容されるようになっている、前記軸幹(14)とは別体の複数のインサート(23)をさらに備えている骨髄挿入杆において、前記インサート(23)は、形状記憶材料から形成された複数の金属箔を積層したラミネート体であることを特徴とする骨髄挿入杆(10)。
【請求項１７】
前記インサート(23)は、概ねフォーク形状をなしていることを特徴とする請求項１６記載の骨髄挿入杆(10)。
【請求項１８】
前記金属箔を積層したラミネート体の安定性を確保するため、前記インサート(23)は、この金属箔を貫く止めピン(33)の対を備えていることを特徴とする請求項１７記載の骨髄挿入杆(10)。
【請求項１９】
基端部と先端部の間で延びる軸幹(14)と、形状記憶効果をもつ材料から形成された複数の形状記憶爪(20)と、前記軸幹(14)に設けられた、前記形状記憶爪(20)を収容するための複数の受部(19)とを備え、前記形状記憶爪(20)は、前記受部(19)に収容されうる第１の形状と、前記受部(19)から突出しうる第２の形状をとりうるようになっている骨髄挿入杆において、前記軸幹(14)を覆い、かつ骨髄挿入杆を骨に挿入する際に、形状記憶爪(20)の第1の形状を保持する役割を果たすカバー(40)をさらに備えていることを特徴とする骨髄挿入杆(10)。
【請求項２０】
前記カバー(40)は、管状の壁体(41)と、この壁体(41)に形成された複数の長孔(42)とを備えることを特徴とする請求項１９記載の骨髄挿入杆(10)。
【請求項２１】
前記カバー(40)と軸幹(14)は、カバー(40)の壁体(41)が形状記憶爪(20)を第１の形状に保持する第１の操作位置と、カバー(40)の長孔(42)が軸幹(14)の受部と整合し、形状記憶爪(20)を受部(19)から突出させうる第２の操作位置との間で、相対的に移動しうるようになっていることを特徴とする請求項２０記載の骨髄挿入杆(10)。
【請求項２２】
前記カバー(40)と軸幹(14)の相対的な移動は、骨髄挿入杆(10)の軸方向に沿って行われるようになっていることを特徴とする請求項２０記載の骨髄挿入杆(10)。
【請求項２３】
軸幹(14)のヘッド(14a)に連結され、軸幹(14)の軸の回りに回転することによって、軸幹(14)をカバー(40)に対して相対的に移動させうる制御棒(45)をさらに備えていることを特徴とする請求項２１記載の骨髄挿入杆(10)。
【請求項２４】
前記カバー(40)のヘッド部に連結され、前記制御棒(45)を貫通させうるチューブ(50)をさらに備えていることを特徴とする請求項２３記載の骨髄挿入杆(10)。
【請求項２５】
前記各形状記憶爪(120)は、軸幹(14)の側面において周方向に延びて受部(119)の役割を果たす溝(122)に収容されていることを特徴とする請求項１，１６または１９記載の骨髄挿入杆(110)。
【請求項２６】
前記各形状記憶爪(120)(220)は、軸幹(114)(214)の側面において軸方向に延びる、受部(219)の役割を果たす溝(122)(222)に収容されていることを特徴とする請求項１，１６および１９のいずれかに記載の骨髄挿入杆(210)。
【請求項２７】
前記各形状記憶爪(120)(220)は、軸幹(114)(214)の一方の端部に取り付けられており、かつ形状記憶爪が第２の形状をとったときに、軸幹よりも外側に突出しうる自由端(121)(221)を有することを特徴とする請求項２５または２６記載の骨髄挿入杆(110)(210)。
【請求項２８】
前記溝(122)(222)は、Ｕ字形の断面を有することを特徴とする請求項２５または２６記載の骨髄挿入杆(110)(210)。
【請求項２９】
前記受部(419)は、軸幹(414)の両端に設けられた小径部(426)(427)によって区画されており、この小径部(426)(427)には、形状記憶効果をもつ円筒形のスリーブ(422)(423)を装着しうるようになっていることを特徴とする請求項１，１６および１９のいずれかに記載の骨髄挿入杆(410)。
【請求項３０】
前記スリーブ(422)(423)には、複数のスロット(424)(425)が設けられており、このスロット(424)(425)は、複数の間隔部(424a)(425a)を区画しており、この間隔部(424a)(425a)は、骨髄挿入杆を骨に固定する際に、前記小径部(426)(427)から突出して、樽のような立体形状をとるようになっていることを特徴とする請求項２９記載の骨髄挿入杆(410)。
【請求項３１】
前記複数のスロット(424)(425)は、互いに等間隔で設けられていることを特徴とする請求項３０記載の骨髄挿入杆(410)。
【請求項３２】
前記小径部(426)の自由端側には、スリーブ(422)の保持リング(428)を螺合するためのねじ山が形成されていることを特徴とする請求項３０記載の骨髄挿入杆(410)。
【請求項３３】
前記小径部(427)の自由端側には、スリーブ(423)の保持プラグ(429)を螺合するためのねじ山が形成されていることを特徴とする請求項３０記載の骨髄挿入杆(410)。
【請求項３４】
前記軸幹(514)は円筒形のチューブであり、前記形状記憶爪(520)は、この軸幹(514)の基端部(516)と先端部(518)に取り付けられる２つの枝分かれ部材(524)からなり、これらの枝分かれ部材(524)は、受部(519)となる軸幹(514)の小径部に嵌め込まれるようになっていることを特徴とする請求項１，１６および１９のいずれかに記載の骨髄挿入杆(510)(610)。
【請求項３５】
前記枝分かれ部材(524)は、複数の枝(524a)からなる円筒形のスリーブ形状をなし、各枝(524a)は、スリーブの厚さ方向に切り込まれ、かつ受部(519)から突出しうるようになっていることを特徴とする請求項３４記載の骨髄挿入杆(510)。
【請求項３６】
受部の役割を果たす小径部(626)は、スリーブ(622)の貫通孔の形状に対応して、角柱状をなしていることを特徴とする請求項３５記載の骨髄挿入杆(610)。
【請求項３７】
前記小径部(626)とスリーブ(622)の貫通孔の形状は、正八角柱であることを特徴とする請求項３６記載の骨髄挿入杆(610)。
【国際調査報告】
2007530194.tif 000044
2007530194.tif 000045
2007530194.tif 000046
2007530194.tif 000047